(57)【特許請求の範囲】
【請求項１】
本体の前面に凹部が形成されており、この凹部を開閉する揺動自在な蓋板を備え、蓋板が凹部を覆い隠している閉めた状態から蓋板を揺動することによって凹部が開くように構成されており、蓋板の内側面に磁性体材料からなる吸引板を取り付けると共に、蓋板を揺動して凹部を閉めた状態で、この吸引板に対向するように前方に開口する有底の収納穴を凹部に形成し、この収納穴に永久磁石を嵌入して、蓋板を閉めた状態でこの永久磁石の磁力で吸引板を吸引して蓋板を閉状態で保持するようにしたリモコン装置において、本体内であって、上記凹部を形成する板状部分であって上記収納穴が形成されている周辺部分を挟んで上記永久磁石の後方位置に、上記永久磁石との間で吸引力が生じる抜け止め部材を設け、永久磁石が上記収納穴から前方に突出するのを防止するようにしたことを特徴とするリモコン装置。
【請求項２】
上記抜け止め部材は第２の永久磁石であることを特徴とする請求項１に記載のリモコン装置。
【請求項３】
上記抜け止め部材は磁性体材料からなり上記永久磁石を後方から覆うキャップ形状の磁路部材であることを特徴とする請求項１に記載のリモコン装置。
【発明の詳細な説明】
【技術分野】
【０００１】
本発明は、前面に揺動自在に取り付けられた蓋板を有するリモコン装置に関する。
【背景技術】
【０００２】
この種のリモコン装置は、リモコン装置の本体の前面に液晶表示部や各種の操作スイッチを備えている。ただし、それら操作スイッチの中には頻繁に操作するものと操作の頻度が低いものとが存在する。一方、すべての操作スイッチを本体の前面に露出させると、デザイン性が損なわれるので、使用頻度の高い操作スイッチのみを常時露出させ、使用頻度の低い操作スイッチは通常隠しておきたいという要請がある。
【０００３】
そこで、本体の前面に凹部を形成し、使用頻度の低い操作スイッチはその凹部内に設け、凹部を蓋板で開閉するように構成して、通常は蓋板で凹部を隠すことによって露出する操作スイッチの個数を減少させ、凹部内の操作スイッチを操作する際には蓋板を開けるようにしたものが知られている（例えば、特許文献１参照）。
【０００４】
蓋板を開けた状態で凹部内の操作スイッチを操作する際に、蓋板は手を添えていなくても開状態に保持されることが望ましい。そこで、蓋板が上下方向に揺動自在に本体に取り付けられている場合には、蓋板を下方に揺動すると重力により蓋板が開状態に保持されるように構成されている。
【０００５】
ただし、蓋板を上方に揺動させて凹部を隠した状態では、蓋板をその状態で保持する必要がある。そこで、凹部内に前方に向かって開口する収納穴を設けて、その収納穴内に永久磁石を嵌入すると共に、蓋板の内側に磁性体材料からなる吸引板を取り付け、蓋板を上方に揺動して凹部を蓋板で隠す状態にすると、永久磁石の磁力によって吸引板が永久磁石に吸引され、蓋板がその状態で保持されるように構成されている。
【先行技術文献】
【特許文献】
【０００６】
【特許文献１】特開２０１４−５００７５号公報（図２，段落０００５）
【発明の概要】
【発明が解決しようとする課題】
【０００７】
上記従来の構成では、蓋板に取り付けた吸引板は永久磁石によって吸引されるが、反作用として永久磁石は吸引板に吸引される。この永久磁石に対する吸引力は永久磁石を収納穴から引き出す方向に作用するため、長年の使用により永久磁石が収納穴から突出するという不具合が生じる。
【０００８】
そこで本発明は、上記の問題点に鑑み、本体側に設けた永久磁石が前方に引き出されることのないリモコン装置を提供することを課題とする。
【課題を解決するための手段】
【０００９】
上記課題を解決するために本発明によるリモコン装置は、本体の前面に凹部が形成されており、この凹部を開閉する揺動自在な蓋板を備え、蓋板が凹部を覆い隠している閉めた状態から蓋板を揺動することによって凹部が開くように構成されており、蓋板の内側面に磁性体材料からなる吸引板を取り付けると共に、蓋板を揺動して凹部を閉めた状態で、この吸引板に対向するように前方に開口する有底の収納穴を凹部に形成し、この収納穴に永久磁石を嵌入して、蓋板を閉めた状態でこの永久磁石の磁力で吸引板を吸引して蓋板を閉状態で保持するようにしたリモコン装置において、本体内であって、上記凹部を形成する板状部分であって上記収納穴が形成されている周辺部分を挟んで上記永久磁石の後方位置に、上記永久磁石との間で吸引力が生じる抜け止め部材を設け、永久磁石が上記収納穴から前方に突出するのを防止するようにしたことを特徴とする。
【００１０】
永久磁石と吸引板との間の磁力が永久磁石を前方に引き出す方向に作用するが、抜け止め部材と永久磁石との間の磁力が永久磁石を後方に引き戻すように作用するので、前方へ引き出す力が相殺されて永久磁石は収納穴から突出しない。
【００１１】
なお、上記抜け止め部材は第２の永久磁石を用いることができる。
【００１２】
あるいは、上記抜け止め部材は磁性体材料からなり上記永久磁石を後方から覆うキャップ形状の磁路部材でもよい。
【発明の効果】
【００１３】
以上の説明から明らかなように、本発明は、抜け止め部材を追加するだけで永久磁石の突出を防止することができる。
【図面の簡単な説明】
【００１４】
【図１】本発明の一実施の形態の構成を示す図
【図２】抜け止め部材として永久磁石を用いた場合のII-II断面図
【図３】抜け止め部材として磁路部材を用いた場合のII-II断面図
【発明を実施するための形態】
【００１５】
図１を参照して、１は本発明によるリモコン装置の一例である。図示の状態は垂直な壁面に取り付けられた状態を示しており、前面には液晶表示部１１の他、左右に頻繁に操作する操作ボタンが配置されている。
【００１６】
本図（ａ）に示すものは、中央部分に設けられた蓋板３が閉じた状態である。この蓋板３は同図（ｂ）に示すように、左右一対の軸部３１によって上下方向に揺動自在にリモコン装置１の本体に連結されており、この蓋板３を（ｂ）に示すように下方に揺動させて開くと、蓋板３によって覆われていた凹部２が見える状態にある。
【００１７】
この凹部２内には比較的操作する頻度の低い操作ボタンが配置されており、さらに表示および化粧のためのシール１２が貼着されている。一方、蓋板３の内側面には注意書きなどが示されたシール３１が貼着されている。
【００１８】
このシール３１の下には磁性体材料からなる吸引板３２が設けられている。一方、凹部２のシール１２の下には永久磁石１３が取り付けられている。従って、（ｂ）に示す状態から蓋板３を上方に揺動させて（ａ）の状態にすると、永久磁石１３が吸引板３２を磁力によって吸引し、蓋板３を（ａ）に示す状態に保持する。
【００１９】
図２を参照して、上記永久磁石１３は上記凹部２に形成した収納穴２１に前方から嵌入されている。従って、収納穴２１の内周面と永久磁石１３の外周面との間に生じる摩擦力によって永久磁石１３は収納穴２１から突出しないように保持されているが、さらに本実施の形態では永久磁石１３の後方に第２の永久磁石４１を配置した。
【００２０】
永久磁石１３と第２の永久磁石４１との間には磁力による吸引力が発生するので、永久磁石１３は後方に引かれ、さらに収納穴２１から突出しなくなる。
【００２１】
図２に示したものでは、永久磁石１３の後方に第２の永久磁石４１を配置したが、図３に示すように、磁性体からなる板状体をプレス加工してキャップ形状にした磁路部材５を永久磁石１３の後方に配置してもよい。永久磁石１３と磁路部材５との間に吸引力が発生するので、図２に示す構造と同じく、永久磁石１３は後方に引かれて、収納穴２１から突出しなくなる。さらに、磁路部材５内を磁束が通るので、吸引板３２と磁極との距離が短くなり、吸引板３２を吸引する力が強くなる。
【００２２】
ところで、上記実施の形態では蓋板３を上下方向に揺動する場合について説明したが、本発明は、蓋板が左右方向に揺動するように構成されているリモコン装置に適用することができる。そしてさらに、リモコン装置は垂直な壁面に取り付けられるものだけではなく、水平な面に取り付けられるものにも本発明を適用することができる。
【００２３】
なお、本発明は上記した形態に限定されるものではなく、本発明の要旨を逸脱しない範囲内において種々の変更を加えてもかまわない。
【符号の説明】
【００２４】
１ リモコン装置
２ 凹部
３ 蓋板
５ 磁路部材
１１ 液晶表示部
１２ シール
１３ 永久磁石
２１ 収納穴
３１ シール
３２ 吸引板
４１ 第２の永久磁石
【図１】
0006704629.tif 000002
【図２】
0006704629.tif 000003
【図３】
0006704629.tif 000004